【手続補正書】
【提出日】平成19年3月2日(2007.3.2)
【手続補正１】
【補正対象書類名】特許請求の範囲
【補正対象項目名】全文
【補正方法】変更
【補正の内容】
【特許請求の範囲】
【請求項１】
ａ）成分（ａ）として、少なくとも２個のオレフィン性不飽和基を有する少なくとも１つのポリジオルガノシロキサン、
ｂ）成分（ｂ）として、少なくとも１つのオルガノハイドロジェンポリシロキサン、
ｃ）成分（ｃ）として、少なくとも１個のカルビノール基、カルボキシ基またはアミノ基を有する少なくとも１つのアルキルシロキサン、
ｄ）成分（ｄ）として、少なくとも１つの縮合硬化化合物、および
ｅ）成分（ｅ）として、少なくとも１つの付加硬化貴金属触媒、
を含む、組成物。
【請求項２】
成分（ｃ）は、式
Ｒ13Ｓｉ−Ｏ−［ＳｉＲ12−Ｏ−］aＳｉＲ12−Ｙ−（Ｏ−Ｒ2）d−Ｘe−［（Ｏ−Ｒ2）bＯＨ］c（ＩＩ）または
［ＨＯ−（Ｒ2−Ｏ）b］c−Ｘe−（Ｒ2−Ｏ）d−Ｙ−［ＳｉＲ12−Ｏ−］aＳｉＲ12−Ｙ−（Ｏ−Ｒ2）d−Ｘe−［（Ｏ−Ｒ2）bＯＨ］c（ＩＩＩ）または
Ｒ13Ｓｉ−Ｏ−｛［ＳｉＲ12−Ｏ−］n［ＳｉＲ1（−Ｙ−（Ｏ−Ｒ2）d−Ｘe−［（Ｏ−Ｒ2）bＯＨ］c）−Ｏ−］m｝−ＳｉＲ13（ＩＩＩａ）または
【化１】
2007500679.tif 000001
（式中、Ｘは、６〜１４個のＣ原子および原子価ｃを有する、酸素原子および／またはエーテル基を含んでもよい、直鎖または分岐鎖の炭化水素またはアリール残基であり、Ｙは、１〜１０個のＣ原子を有する直鎖または分岐鎖アルキレン基か、または４〜１４個のＣ原子を有するシクロアルキル基であり、Ｒ1は、１〜８個のＣ原子を有する、直鎖または分岐鎖のアルキル基またはフルオロアルキル基か、または６〜１４個のＣ原子を有するシクロアルキル基またはアリール基であり、Ｒ2は、１〜８個のＣ原子を有する、カルボニル基を含んでもよい直鎖または分岐鎖のアルキレン基であり、Ｄは、Ｒ1か、または分子１個当たり少なくとも１個の残基−Ｙ−（Ｏ−Ｒ2）d−Ｘe−［（Ｏ−Ｒ2）bＯＨ］cを有する、−Ｙ−（Ｏ−Ｒ2）d−Ｘe−［（Ｏ−Ｒ2）bＯＨ］cであり、１≦ａ≦１０，０００であり、０≦ｂ≦５００であり、１≦ｃ≦６であり、０≦ｄ≦５００であり、ｅは、０または１であり、０≦ｎ≦５００であり、０≦ｍ≦１００であって、ここでｍ＋ｎは５より大きく、ｘは、０、１、２、３、４、５または６である）
の少なくとも１つの化合物を含有することを特徴とする、請求項１に記載の組成物。
【請求項３】
成分（ｃ）は、式
Ｒ13Ｓｉ−Ｏ−［ＳｉＲ12−Ｏ−］aＳｉＲ12−Ｙ−（Ｏ−Ｒ2）d−Ｘe−［Ｚf−ＣＯＯＨ］c（ＩＶ）または
［ＨＯＯＣ−Ｚf］c−Ｘe−（Ｒ2−Ｏ）d−Ｙ−［ＳｉＲ12−Ｏ−］aＳｉＲ12−Ｙ−（Ｏ−Ｒ2）d−Ｘe−［Ｚf−ＣＯＯＨ］c（Ｖ）または
Ｒ13Ｓｉ−Ｏ−｛［ＳｉＲ12−Ｏ−］n［ＳｉＲ1（−Ｙ−（Ｏ−Ｒ2）d−Ｘe−［Ｚf−ＣＯＯＨ］c）−Ｏ−］m｝−ＳｉＲ13（Ｖａ）または
【化２】
2007500679.tif 000002
（式中、Ｘは、６〜１４個のＣ原子および原子価ｃを有する、酸素原子および／またはエーテル基を含んでもよい直鎖または分岐鎖の炭化水素またはアリール残基であり、Ｙは、１〜１０個のＣ原子を有する、直鎖または分岐鎖のアルキレン基か、または４〜１４個のＣ原子を有するシクロアルキル基であり、Ｚは、１〜１６個のＣ原子を有する、エステル基を含んでもよい、直鎖または分岐鎖のアルキレン基またはアルケニレン基またはアリール基であり、Ｒ1は、１〜８個のＣ原子を有する直鎖または分岐鎖アルキル基またはフルオロアルキル基か、または４〜１４個のＣ原子を有するシクロアルキル基またはアリール基であり、Ｒ2は、１〜８個のＣ原子を有する、カルボニル基を含んでもよい直鎖または分岐鎖のアルキレン基であり、Ｅは、Ｒ1か、または分子１個当たり少なくとも１個の残基−Ｙ−（Ｏ−Ｒ2）d−Ｘe−［Ｚf−ＣＯＯＨ］cを有する−Ｙ−（Ｏ−Ｒ2）d−Ｘe−［Ｚf−ＣＯＯＨ］cであり、１≦ａ≦１０，０００であり、１≦ｃ≦６であり、０≦ｄ≦５００であり、ｅは、０または１であり、ｆは、０または１であり、０≦ｎ≦５００であり、０≦ｍ≦１００であって、ここでｍ＋ｎは、５より大きく、ｘは、０、１、２、３、４、５または６である）
の少なくとも１つの化合物を含有することを特徴とする、請求項１に記載の組成物。
【請求項４】
成分（ｃ）は、式
Ｒ13Ｓｉ−Ｏ−［ＳｉＲ12−Ｏ−］aＳｉＲ12−Ｙ−（Ｏ−Ｒ2）d−Ｔe−［（Ｏ−Ｒ2）bＮＨＲ3］c（ＶＩ）または
［Ｒ3ＨＮ−（Ｒ2−Ｏ）b］c−Ｔe−（Ｒ2−Ｏ）d−Ｙ−［ＳｉＲ12−Ｏ−］aＳｉＲ12−Ｙ−（Ｏ−Ｒ2）d−Ｔe−［（Ｏ−Ｒ2）bＮＨＲ3］c（ＶＩＩ）または
Ｒ13Ｓｉ−Ｏ−｛［ＳｉＲ12−Ｏ−］n［ＳｉＲ4（−Ｙ−（Ｏ−Ｒ2）d−Ｔe−［（Ｏ−Ｒ2）bＮＨＲ3］c）−Ｏ−］m｝−ＳｉＲ13（ＶＩＩａ）または
【化３】
2007500679.tif 000003
（式中、Ｔは、６〜１４個のＣ原子および原子価ｃを有する、酸素原子および／またはエーテル基を含んでもよい直鎖または分岐鎖の炭化水素またはアリール残基であり、Ｙは、１〜１０個のＣ原子を有する直鎖または分岐鎖のアルキレン基か、または４〜１４個のＣ原子を有するシクロアルキル基であり、Ｒ1は、１〜８個のＣ原子を有する直鎖または分岐鎖のアルキル基またはフルオロアルキル基か、または６〜１４個のＣ原子を有するシクロアルキル基またはアリール基であり、Ｒ2は、１〜８個のＣ原子を有する、カルボニル基を含んでもよい直鎖または分岐鎖のアルキレン基であり、Ｆは、Ｒ1か、または分子１個当たり少なくとも１個の残基−Ｙ−（Ｏ−Ｒ2）d−Ｔe−［（Ｏ−Ｒ2）bＮＨＲ3］cを有する−Ｙ−（Ｏ−Ｒ2）d−Ｔe−［（Ｏ−Ｒ2）bＮＨＲ3］cであり、Ｒ3は、１〜８個のＣ原子を有する、直鎖または分岐鎖のアルキル基またはフルオロアルキル基か、または６〜１４個のＣ原子を有するシクロアルキル基またはアリール基か、またはＨであり、Ｒ4は、Ｒ1またはメトキシまたはエトキシであり、１≦ａ≦１０，０００であり、０≦ｂ≦１０，０００であり、１≦ｃ≦６であり、０≦ｄ≦５００であり、ｅは０または１であり、０≦ｎ≦５００であり、０≦ｍ≦１００であって、ここでｍ＋ｎは５より大きく、ｘは、０、１、２、３、４、５または６である）
の少なくとも１つの化合物を含有することを特徴とする、請求項１に記載の組成物。
【請求項５】
下記の成分を下記の量：
ａ）２．５〜４０重量％の成分（ａ）、
ｂ）０．２〜１０重量％の成分（ｂ）、
ｃ）０．５〜８重量％の成分（ｃ）、
ｄ）０．１〜７重量％の成分（ｄ）、
ｅ）元素のＰｔを基準にして、０．０５〜４重量％の成分（ｅ）、および
ｆ）３１〜９６．６５重量％の、成分（ｆ）としての助剤、
（ここで、成分は合計１００重量％となる）
で含有することを特徴とする、請求項１〜４のいずれか１項に記載の組成物。
【請求項６】
成分Ａおよび成分Ｂを含み、成分Ａは、
ａ）成分（ａ）として、少なくとも２個のオレフィン性不飽和基を有する少なくとも１つのポリジオルガノシロキサン、
ｂ）成分（ｂ）として、少なくとも１つのオルガノハイドロジェンポリシロキサン、
ｃ）成分（ｃ）として、少なくとも１個のカルビノール基、カルボキシ基またはアミノ基を有する、少なくとも１つのアルキルシロキサン、
を含み、
また、成分Ｂは、
ｄ）成分（ｄ）として、少なくとも１つの縮合硬化成分、および
ｅ）成分（ｅ）として、少なくとも１つの付加硬化貴金属触媒
を含む、
２成分系。
【請求項７】
成分（ｃ）は、式ＩＩ、ＩＩＩ、ＩＩＩａ、ＩＩＩｂ、ＩＶ、Ｖ、Ｖａ、Ｖｂ、ＶＩ、ＶＩＩ、ＶＩＩａまたはＶＩＩｂ（式中、Ｘは、６〜１４個のＣ原子および原子価ｃを有する、酸素原子および／またはエーテル基を含んでもよい直鎖または分岐鎖の炭化水素またはアリール残基であり、Ｔは、６〜１４個のＣ原子および原子価ｃを有する、酸素原子および／またはエーテル基を含んでもよい直鎖または分岐鎖の炭化水素またはアリール残基であり、Ｙは、１〜１０個のＣ原子を有する直鎖または分岐鎖のアルキレン基か、または４〜１４個のＣ原子を有するシクロアルキル基であり、Ｚは、１〜１６個のＣ原子を有する、エステル基を含んでもよい直鎖または分岐鎖のアルキレン基またはアルケニレン基またはアリール基であり、Ｒ1は、１〜８個のＣ原子を有する、直鎖または分岐鎖のアルキル基またはフルオロアルキル基か、または４〜１４個のＣ原子を有するシクロアルキル基またはアリール基であり、Ｒ2は、１〜８個のＣ原子を有する、カルボニル基を含んでもよい直鎖または分岐鎖のアルキレン基であり、Ｄは、Ｒ1か、または分子１個当たり少なくとも１個の残基−Ｙ−（Ｏ−Ｒ2）d−Ｘe−［（Ｏ−Ｒ2）bＯＨ］cを有する−Ｙ−（Ｏ−Ｒ2）d−Ｘe−［（Ｏ−Ｒ2）bＯＨ］cであり、Ｅは、Ｒ1か、または分子１個当たり少なくとも１個の残基−Ｙ−（Ｏ−Ｒ2）d−Ｘe−［Ｚf−ＣＯＯＨ］cを有する−Ｙ−（Ｏ−Ｒ2）d−Ｘe−［Ｚf−ＣＯＯＨ］cであり、Ｆは、Ｒ1か、または分子１個当たり少なくとも１個の残基−Ｙ−（Ｏ−Ｒ2）d−Ｔe−［（Ｏ−Ｒ2）bＮＨＲ3］cを有する−Ｙ−（Ｏ−Ｒ2）d−Ｔe−［（Ｏ−Ｒ2）bＮＨＲ3］cであり、Ｒ3は、１〜８個のＣ原子を有する、直鎖または分岐鎖のアルキル基またはフルオロアルキル基か、または６〜１４個のＣ原子を有するシクロアルキル基またはアリール基またはＨであり、Ｒ4は、Ｒ1か、またはメトキシまたはエトキシであり、１≦ａ≦１０，０００であり、１≦ｃ≦６であり、０≦ｄ≦５００であり、ｅは、０または１であり、ｆは０または１であり、０≦ｎ≦５００であり、０≦ｍ≦１００であって、ここでｍ＋ｎは５より大きく、ｘは、０、１、２、３、４、５または６である）
の少なくとも１つの化合物、またはそれらの２つ以上の混合物を含有することを特徴とする、請求項６に記載の２成分系。
【請求項８】
成分Ａは、下記の成分を下記の量：
ａ）８〜２５重量％の成分（ａ）、
ｂ）１〜１０重量％の成分（ｂ）、
ｃ）０．５〜１０重量％の成分（ｃ）、および
ｄ）５５〜９０．５重量％の助剤、
（ここで、成分は合計１００重量％となる）
で含有することを特徴とする、請求項６または７に記載の組成物。
【請求項９】
成分Ｂは、下記の成分を下記の量：
ａ）０．５〜１０重量％の成分（ｄ）、
ｂ）元素のＰｔを基準にして、０．１〜５重量％の成分（ｅ）、および
ｃ）８５〜９９．４重量％の助剤、
（ここで、成分は合計１００重量％となる）
で含有することを特徴とする、請求項６または７に記載の組成物。
【請求項１０】
ａ）成分（ａ）としての、少なくとも２個のオレフィン性不飽和基を有する少なくとも１つのポリジオルガノシロキサン、
ｂ）成分（ｂ）としての、少なくとも１つのオルガノハイドロジェンポリシロキサン、
ｃ）成分（ｃ）としての、少なくとも１個のカルビノール基、カルボキシ基またはアミノ基を有する少なくとも１つのアルキルシロキサン、
ｄ）成分（ｄ）としての、少なくとも１つの縮合硬化触媒および
ｅ）成分（ｅ）としての、少なくとも１つの付加硬化貴金属触媒
が完全に混合されることを特徴とする、請求項１に記載の組成物の調製方法。